(57)【要約】【課題】コンパクトディスクプレーヤの蓋体３１の運動に連動して、コンパクトディスク４０に対するチャッキング動作およびチャッキング解除動作を自動的に行ない得るようにする。【解決手段】キャビネット３０の上部開口を閉じている蓋体３１をキャビネット３０に対して前方と背面方向とにそれぞれ摺動可能に取付け、蓋体３１を背面側に移動させると、この蓋体３１の支点板４８に連結されている連結板６０のピン６９がカム７０に作用し、カム７０を取付けているベース板７３上のメカデッキ３６が下降し、これによってチャッキングの解除動作が行なわれるようにし、これに対して蓋体３１を前方へ移動させると、連結板６０のピン６９がカム７０の下面側に作用し、メカデッキ３６を上昇させてターンテーブル３７のセンタチャック３８をコンパクトディスク４０の中心孔４１に係合させる。【選択図】図１５
2008276812.tif 000002
【特許請求の範囲】
【請求項１】
信号の記録面が露出しているディスク状記録媒体を再生するディスクプレーヤにおいて、
前記ディスク状記録媒体をチャッキングするチャッキング手段を有し、再生位置と、該再生位置より下方に位置するチャッキング解除位置との間で昇降するメカデッキと、
前記メカデッキを昇降させる昇降機構と、
前記メカデッキが前記再生位置から前記チャッキング解除位置へ下降する際に、前記メカデッキのチャッキング手段によってチャックされている前記ディスク状記録媒体のチャッキングを解除するチャッキング解除手段と、
前記チャッキング解除手段によってチャッキングが解除された前記ディスク状記録媒体を上方向に保持して持上げるホルダと、
を具備するディスクプレーヤ。
【請求項２】
前記メカデッキは、前記ディスク状記録媒体の中心孔と係合してチャッキングするようにターンテーブル上に突出して設けられるチャッキング凸部を有し、該チャッキング凸部は前記ディスク状記録媒体の中心孔とほぼ等しい直径の円柱状部と、該円柱状部に連続しかつ前記ディスク状記録媒体の中心孔よりも直径が小さくなるように傾斜しているチャッキング傾斜部とを有することを特徴とする請求項１に記載のディスクプレーヤ。
【請求項３】
前記メカデッキは、前記チャッキング手段によってチャッキングされて再生位置にある前記ディスク状記録媒体に記録されている信号を読出して再生する再生手段を有することを特徴とする請求項１に記載のディスクプレーヤ。
【請求項４】
前記チャッキング解除手段は、前記メカデッキが下降する際に前記ディスク状記録媒体が当接する当接部を有することを特徴とする請求項１に記載のディスクプレーヤ。
【請求項５】
前記当接部は前記チャッキング手段の周囲に配され、チャッキング解除時に前記ディスク状記録媒体の信号記録領域よりも中心側の部位に当接することを特徴とする請求項４に記載のディスクプレーヤ。
【請求項６】
前記ホルダは、前記ディスク状記録媒体の外周縁に接しながら保持する傾斜部を有し、該傾斜部は前記ディスク状記録媒体に対して非平行になっており、前記ディスク状記録媒体の中心側であって先端側の方が低くなっていることを特徴とする請求項１に記載のディスクプレーヤ。
【請求項７】
信号の記録面が露出しているディスク状記録媒体を再生するディスクプレーヤであって、蓋体がキャビネットの上部開口を開閉自在に閉じるように取付けられているディスクプレーヤにおいて、
前記蓋体を前記キャビネット内のシャーシに対して摺動可能に支持する摺動手段と、
前記蓋体が前記キャビネットの開口を開放するように回動させる開放手段と、
ディスク状記録媒体を前記シャーシ上に取付けられているターンテーブルから取外す取外し手段と、
前記蓋体に設けられ、前記ターンテーブルから取外された前記ディスク状記録媒体を保持する保持手段と、
を具備し、前記摺動手段によって前記蓋体を背面側に摺動させると、これに連動して前記取外し手段が前記ディスク状記録媒体を前記ターンテーブルから取外すとともに、前記開放手段によって前記蓋体が開放されると、これに連動して前記保持手段が前記ターンテーブルから取外された前記ディスク状記録媒体を保持することを特徴とするディスクプレーヤ。
【請求項８】
前記ディスク状記録媒体を回転駆動するターンテーブルを備えるメカデッキが前記蓋体の摺動運動に連動して昇降することを特徴とする請求項７に記載のディスクプレーヤ。
【請求項９】
前記蓋体は前記摺動手段によって第１の位置と第２の位置との間で摺動し、前記メカデッキの昇降機構は、前記蓋体が前記第１の位置と前記第２の位置との間にあるときに前記メカデッキを再生位置よりも上方または下方の位置に配置させ、前記蓋体が前記第１の位置または前記第２の位置にあるときに前記メカデッキを再生位置に配置させることを特徴とする請求項８に記載のディスクプレーヤ。
【請求項１０】
前記保持手段が前記蓋体の下側に取付けられ、前記蓋体が開くとチャッキング解除された前記ディスク状記録媒体を上方に保持しながら持上げることを特徴とする請求項７に記載のディスクプレーヤ。
【請求項１１】
信号の記録面が露出しているディスク状記録媒体を再生するディスクプレーヤであって、蓋体がキャビネットの上部開口を開閉自在に閉じるように取付けられているディスクプレーヤにおいて、
前記蓋体を前記キャビネット内のシャーシに対して摺動可能であって回動可能に支持する支点機構と、
前記シャーシに対して昇降自在な支持部材によって支持されるとともに、ディスク状記録媒体の中心部を保持するチャックを有するターンテーブルと、
前記支点機構の前方への摺動動作に連動して前記ターンテーブルを有する支持部材を下降させる連動手段と、
前記蓋体の下側に取付けられ、前記ターンテーブルのチャックから取外されたディスク状記録媒体を保持する保持手段と、
を具備し、前記支点機構によって前記蓋体を背面側に摺動させると、連動手段によって前記ターンテーブルを支持する支持部材を下降させて前記ディスク状記録媒体を前記チャックから離脱させ、しかも前記蓋体を前記支点機構によって開放されるように回動させると、前記保持手段が前記ディスク状記録媒体を保持することを特徴とするディスクプレーヤ。
【請求項１２】
前記支持部材がベース板から構成され、該ベース板上に前記ターンテーブルを有するメカデッキが支持されることを特徴とする請求項１１に記載のディスクプレーヤ。
【請求項１３】
前記メカデッキの前記ターンテーブルに対してその外周側に半径方向に移動可能に前記ディスク状記録媒体に書込まれた信号を読出す再生手段が設けられることを特徴とする請求項１２に記載のディスクプレーヤ。
【請求項１４】
前記再生手段が光ピックアップであることを特徴とする請求項１３に記載のディスクプレーヤ。
【請求項１５】
前記連動手段が前記ベース板の側部に設けられたカムと、該カムに係合するピンを有し、前記蓋体に連結された連結板であることを特徴とする請求項１２に記載のディスクプレーヤ。
【発明の詳細な説明】
【技術分野】
【０００１】
本発明はディスクプレーヤに係り、とくに信号の記録面が露出しているディスク状記録媒体を再生するディスクプレーヤに関する。
【背景技術】
【０００２】
従来より、例えば図１に示すようなポータブル型のディスクプレーヤが広く用いられている。この種のディスクプレーヤは、コンパクトディスク（ＣＤ）を内部に装着して回転駆動させ、光ピックアップによってコンパクトディスクに記録されているデジタル信号を読出すとともに、このデジタル信号をアナログ変換して再生出力するようになっている。従ってポータブル式のディスクプレーヤを携行しながら、ヘッドホン等によって音楽を楽しむことが可能になる。
【０００３】
ポータブル式のディスクプレーヤは、キャビネット５と、その上部に取付けられる開閉自在な蓋体６とを備えている。また、音楽や音声を聴くためにヘッドホン７が用いられる。ヘッドホン７は左右の駆動部をヘッドバンド８によって連結した構造になっており、頭部に装着して音楽を聴くことができる。そしてヘッドホン７はコード９の先端部に取付けられたプラグ１０を、キャビネット５の側面に取付けられているコネクタジャック１１に接続し、ディスクプレーヤが出力する音声信号をヘッドホン７に導くようにしている。
【０００４】
ディスクプレーヤに装着されるコンパクトディスクの取外し作業は、例えば図２〜図４に示すようにして行なわれる。すなわちキャビネット５の側面に設けられている操作ボタン１２を円周方向であって、例えば右方に指で押す。するとこの操作ボタン１２の操作によって蓋体６の爪のロックが解除され、この上蓋６を付勢しているばねの力によって上蓋６が図３に示すように開放される。従って使用者は、図４Ａに示すように、コンパクトディスク１５を手で持って、ターンテーブル１６の中心部のセンタチャック１７からこのコンパクトディスク１５を取外すことができる。ここでセンタチャック１７は、図４Ｂに示すようにその外周側に３個のボール１８を備えるとともに、これらのボール１８がばね１９によって外周側に付勢された構造になっており、ボール１８が上記コンパクトディスク１５の中心孔に係合されるようになっている。従ってボール１８の係合力に打勝って、コンパクトディスク１５をセンタチャック１７から取外すことになる。
【０００５】
次にコンパクトディスク１５の装着は、コンパクトディスクの取外しとは逆の手順で行なわれる。すなわち、コンパクトディスク１５をターンテーブル１６上のセンタチャック１７に係合させ、蓋体６を手で閉じる。
【０００６】
このような構成は、ポータブル式のディスクプレーヤに多く採用されており、必要最小限の部品で構成され、コスト的にも安価になる利点がある。またディスクの取外し動作および装着動作の何れにおいても、蓋体６の開閉と、コンパクトディスク１５の挿抜の２段階の操作を必要とする。またコンパクトディスクの装着および取外しの場合には、使用者の手をこのディスクプレーヤのほぼ中央部まで入れてコンパクトディスク１５とセンタチャック１７との間での挿抜動作を行なわなければならない。従ってこのような操作の容易性を確保するために、蓋体６の開放角度を４５度以上に設定する必要がある。蓋体６の開放状態においては、蓋体６の開放角度が大きいために、不用意に引張られたり、使用者がひっかけて機器を落とす危険性が増加する。従ってこのような危険性を回避するために、プレーヤの機器全体の機械的強度を確保する必要がある。
【０００７】
特開２００６−７３１３９号公報には、蓋体に解放釦を取付けるようにし、この解放釦に連設されたロックレバーを支軸によって回動自在に支持し、しかも支軸に装着された圧縮コイルばねによって蓋体の側壁との間に摩擦係合力を発生させ、この摩擦係合力によってロックレバーを解放釦が押された状態で維持するとともに、蓋体の解放動作の際に所定の角度まで蓋体が解放されると、この後装着面の切欠きの当接部にロックレバーの山形突部が当接し、これによってロックレバーが元の状態に復帰するようにしたディスクプレーヤが開示されている。
【０００８】
このようなディスクプレーヤによると、キャビネットの上部をキャビネットとほぼ同じ大きさの蓋材で開閉自在に覆うようにしたポータブルＣＤプレーヤにおいて、蓋体に設けられた解放釦によって片手操作で蓋体を解放できるようになる。
【０００９】
しかるにこのような構成によっても、操作釦による蓋体の開閉操作と、コンパクトディスクのセンタチャックに対する挿抜の２段階の操作を必要とする点では、改善が見られない。またコンパクトディスクのセンタチャックに対する挿抜のために、キャビネット内に手を入れなければならず、蓋体の開放角度が大きくなるという問題の解消もなされない。
【００１０】
これを解決するためには、モータを使用してコンパクトディスクを着脱、取込み排出させる自動ローディング機構を設けるか、モータを使用してコンパクトディスクの配置部を作動させる自動トレイ機構を組込むことが挙げられる。このような構成によると、使用者に便利であって異なる使い勝手が提供される。しかしながら、機構が複雑化し、大型化し、重量が増加し、余分な電力を必要とする欠点がある。従ってポータブル型のディスクプレーヤに採用するには困難である。またコスト上昇も著しい。
【００１１】
そこで例えば特開２０００−１８２３０７号公報には、ポータブル式のミニディスク（ＭＤ）プレーヤにおける記録媒体の交換動作の機構が開示されている。これを図５および図６に示す。この機構は、キャビネット２２の上部を覆う蓋体２３を開閉させる操作釦２４がキャビネット２２に取付けられている。従ってこの操作釦２４を図５に示すように矢印方向であって右方へ押すと、蓋体２３のロックが解除され、蓋体２３の内側に内蔵されているばねの付勢力によって蓋体２３が図６に示すように開放される。そして蓋体２３の下側に設けられているホルダに保持されているディスクカートリッジ２５を付勢するばねの拘束が蓋体２３の開放と同時に解放される。従って蓋体２３の開放に連動して、ディスクカートリッジ２５がばねによって図６に示すように前方に押出される。すなわちこの機構は、操作釦２４の操作のみで蓋体２３の開放とディスクカートリッジ２５の挿抜とがほぼ同時に完了する。従って使用者に対して使い勝手に優れたディスクプレーヤが提供される。
【００１２】
しかしながら、この種の機構は、ディスクカートリッジ２５を内蔵されるばねの弾性復元力によって押出す特性があるために、光ディスクの信号面をカートリッジケースで保護しているディスクカートリッジのような構造においてのみ用いることができる。すなわちコンパクトディスクやＤＶＤ等のように信号面が露出しているディスク状記録媒体に適用すると、ディスク状記録媒体の信号面が損傷を受け易くなる。従って信号面が露出しているディスク状記録媒体に適用することは不適当である。
【特許文献１】特開２００６−７３１３９号公報
【特許文献２】特開２００６−６５９８０号公報
【特許文献３】特開２０００−１８２３０７号公報
【特許文献４】特開平１１−４６０７号公報
【発明の開示】
【発明が解決しようとする課題】
【００１３】
本願発明の課題は、ディスク状記録媒体の交換の操作性に優れたディスクプレーヤを提供することである。
【００１４】
本願発明の別の課題は、ディスク状記録媒体を交換する際に、チャッキング手段によってチャックされているディスク状記録媒体のチャッキング手段からの取外し操作を簡略化できるディスクプレーヤを提供することである。
【００１５】
本願発明のさらに別の課題は、蓋体の開放動作に連動してチャッキングの解除が自動的に行なわれるディスクプレーヤを提供することである。
【００１６】
本願発明のさらに別の課題は、ディスク状記録媒体のチャッキング解除のためにモータ等の電気部品を用いることなく、確実にチャッキングの解除が行なわれるようにしたディスクプレーヤを提供することである。
【００１７】
本願発明のさらに別の課題は、メカニカルな構成のみによって、ディスク状記録媒体のチャッキング解除が蓋体の開放動作に連動して行なわれるようにしたディスクプレーヤを提供することである。
【００１８】
本願発明の上記の課題および別の課題は、以下に述べる本願発明の技術的思想およびその実施の形態によって明らかにされる。
【課題を解決するための手段】
【００１９】
本願の主要な発明は、信号の記録面が露出しているディスク状記録媒体を再生するディスクプレーヤにおいて、
前記ディスク状記録媒体をチャッキングするチャッキング手段を有し、再生位置と、該再生位置より下方に位置するチャッキング解除位置との間で昇降するメカデッキと、
前記メカデッキを昇降させる昇降機構と、
前記メカデッキが前記再生位置から前記チャッキング解除位置へ下降する際に、前記メカデッキのチャッキング手段によってチャックされている前記ディスク状記録媒体のチャッキングを解除するチャッキング解除手段と、
前記チャッキング解除手段によってチャッキングが解除された前記ディスク状記録媒体を上方向に保持して持上げるホルダと、
を具備するディスクプレーヤに関するものである。
【００２０】
ここで、前記メカデッキは、前記ディスク状記録媒体の中心孔と係合してチャッキングするようにターンテーブル上に突出して設けられるチャッキング凸部を有し、該チャッキング凸部は前記ディスク状記録媒体の中心孔とほぼ等しい直径の円柱状部と、該円柱状部に連続しかつ前記ディスク状記録媒体の中心孔よりも直径が小さくなるように傾斜しているチャッキング傾斜部とを有してよい。また前記メカデッキは、前記チャッキング手段によってチャッキングされて再生位置にある前記ディスク状記録媒体に記録されている信号を読出して再生する再生手段を有してよい。また前記チャッキング解除手段は、前記メカデッキが下降する際に前記ディスク状記録媒体が当接する当接部を有してよい。また前記当接部は前記チャッキング手段の周囲に配され、チャッキング解除時に前記ディスク状記録媒体の信号記録領域よりも中心側の部位に当接してよい。また前記ホルダは、前記ディスク状記録媒体の外周縁に接しながら保持する傾斜部を有し、該傾斜部は前記ディスク状記録媒体に対して非平行になっており、前記ディスク状記録媒体の中心側であって先端側の方が低くなっていてよい。
【００２１】
本願の別の主要な発明は、信号の記録面が露出しているディスク状記録媒体を再生するディスクプレーヤであって、蓋体がキャビネットの上部開口を開閉自在に閉じるように取付けられているディスクプレーヤにおいて、
前記蓋体を前記キャビネット内のシャーシに対して摺動可能に支持する摺動手段と、
前記蓋体が前記キャビネットの開口を開放するように回動させる開放手段と、
ディスク状記録媒体を前記シャーシ上に取付けられているターンテーブルから取外す取外し手段と、
前記蓋体に設けられ、前記ターンテーブルから取外された前記ディスク状記録媒体を保持する保持手段と、
を具備し、前記摺動手段によって前記蓋体を背面側に摺動させると、これに連動して前記取外し手段が前記ディスク状記録媒体を前記ターンテーブルから取外すとともに、前記開放手段によって前記蓋体が開放されると、これに連動して前記保持手段が前記ターンテーブルから取外された前記ディスク状記録媒体を保持することを特徴とするディスクプレーヤに関するものである。
【００２２】
ここで、前記ディスク状記録媒体を回転駆動するターンテーブルを備えるメカデッキが前記蓋体の摺動運動に連動して昇降するようにしてよい。また前記蓋体は前記摺動手段によって第１の位置と第２の位置との間で摺動し、前記メカデッキの昇降機構は、前記蓋体が前記第１の位置と前記第２の位置との間にあるときに前記メカデッキを再生位置よりも上方または下方の位置に配置させ、前記蓋体が前記第１の位置または前記第２の位置にあるときに前記メカデッキを再生位置に配置させてよい。また前記保持手段が前記蓋体の下側に取付けられ、前記蓋体が開くとチャッキング解除された前記ディスク状記録媒体を上方に保持しながら持上げてよい。
【００２３】
本願のさらに別の主要な発明は、信号の記録面が露出しているディスク状記録媒体を再生するディスクプレーヤであって、蓋体がキャビネットの上部開口を開閉自在に閉じるように取付けられているディスクプレーヤにおいて、
前記蓋体を前記キャビネット内のシャーシに対して摺動可能であって回動可能に支持する支点機構と、
前記シャーシに対して昇降自在な支持部材によって支持されるとともに、ディスク状記録媒体の中心部を保持するチャックを有するターンテーブルと、
前記支点機構の前方への摺動動作に連動して前記ターンテーブルを有する支持部材を下降させる連動手段と、
前記蓋体の下側に取付けられ、前記ターンテーブルのチャックから取外されたディスク状記録媒体を保持する保持手段と、
を具備し、前記支点機構によって前記蓋体を背面側に摺動させると、連動手段によって前記ターンテーブルを支持する支持部材を下降させて前記ディスク状記録媒体を前記チャックから離脱させ、しかも前記蓋体を前記支点機構によって開放されるように回動させると、前記保持手段が前記ディスク状記録媒体を保持することを特徴とするディスクプレーヤに関するものである。
【００２４】
ここで、前記支持部材がベース板から構成され、該ベース板上に前記ターンテーブルを有するメカデッキが支持されてよい。また前記メカデッキの前記ターンテーブルに対してその外周側に半径方向に移動可能に前記ディスク状記録媒体に書込まれた信号を読出す再生手段が設けられてよい。また前記再生手段が光ピックアップであってよい。また前記連動手段が前記ベース板の側部に設けられたカムと、該カムに係合するピンを有し、前記蓋体に連結された連結板であってよい。
【００２５】
本願発明の好ましい態様は、ポータブル式のコンパクトディスク（ＣＤ）プレーヤ、ＤＶＤプレーヤ等のディスク状記録媒体の装着、取出し、交換を必要とする機器における蓋体の開閉機構と、ディスク状記録媒体の着脱、取出し機構に関する。一般にディスクの交換作業は、蓋体の開閉動作とディスク状記録媒体の着脱動作の２段階の動作を別々に作業することによって完了するが、本発明は、モータやバッテリを使用することなく、安価であって、しかもディスク状記録媒体の信号面に損傷を与えることなく、セット重量やサイズに著しい影響を与えることなく、上蓋の開閉とディスクの装着の２段階の動作を一連の操作によってほぼ同時に完了させることが可能であって、新しい使い勝手と容易な交換作業とを実現するディスクプレーヤを提供するものである。
【００２６】
このような特徴ある構成は、使用者に対して新しい使い勝手と利便性とを提案できるようになる。またモータ等の電気部品を使用せずに実現可能であって、材料費が削減される。またモータ等の電気部品を使用しないために、設計期間の削減が可能になる。また電源条件等の考慮が不要であって、このために評価工数の削減が図られる。またばねの負荷に高精度な管理を必要としないために、安定した量産性の確保が可能になる。
【発明の効果】
【００２７】
本願の主要な発明は、信号の記録面が露出しているディスク状記録媒体を再生するディスクプレーヤにおいて、ディスク状記録媒体をチャッキングするチャッキング手段を有し、再生位置と、該再生位置より下方に位置するチャッキング解除位置との間で昇降するメカデッキと、メカデッキを昇降させる昇降機構と、メカデッキが再生位置からチャッキング解除位置へ下降する際に、メカデッキのチャッキング手段によってチャックされているディスク状記録媒体のチャッキングを解除するチャッキング解除手段と、チャッキング解除手段によってチャッキングが解除されたディスク状記録媒体を上方向に保持して持上げるホルダと、を具備するようにしたものである。
【００２８】
従ってこのようなディスクプレーヤによると、ディスク状記録媒体をチャッキング手段によってチャックしているメカデッキを下降させると、チャッキング解除手段によってディスク状記録媒体のチャッキングが解除され、しかもチャッキングが解除されたディスク状記録媒体が保持手段によって上方向に保持して持上げられるようになり、このために使用者はディスク状記録媒体のチャッキング解除の操作を手で行なう必要がなくなる。
【００２９】
本願の別の発明は、信号の記録面が露出しているディスク状記録媒体を再生するディスクプレーヤであって、蓋体がキャビネットの上部開口を開閉自在に閉じるように取付けられているディスクプレーヤにおいて、蓋体をキャビネット内のシャーシに対して摺動可能に支持する摺動手段と、蓋体がキャビネットの開口を開放するように回動させる開放手段と、ディスク状記録媒体をシャーシ上に取付けられているターンテーブルから取外す取外し手段と、蓋体に設けられ、ターンテーブルから取外されたディスク状記録媒体を保持する保持手段と、を具備し、摺動手段によって蓋体を背面側に摺動させると、これに連動して取外し手段がディスク状記録媒体をターンテーブルから取外すとともに、開放手段によって蓋体が開放されると、これに連動して保持手段がターンテーブルから取外されたディスク状記録媒体を保持するようにしたものである。
【００３０】
従ってこのようなディスクプレーヤによると、蓋体を摺動手段によって背面側に摺動させると、取外し手段がディスク状記録媒体をターンテーブルから取外すようになり、しかも開放手段によって蓋体が開放され、これに連動して保持手段によってターンテーブルから取外されたディスク状記録媒体が保持されることになり、このために蓋体の摺動動作に連動してターンテーブルからディスク状記録媒体が取外されることになる。従って使用者が手でディスク状記録媒体をターンテーブルから取外す操作が必要でなくなる。
【００３１】
本願のさらに別の主要な発明は、信号の記録面が露出しているディスク状記録媒体を再生するディスクプレーヤであって、蓋体がキャビネットの上部開口を開閉自在に閉じるように取付けられているディスクプレーヤにおいて、蓋体をキャビネット内のシャーシに対して摺動可能であって回動可能に支持する支点機構と、シャーシに対して昇降自在な支持部材によって支持されるとともに、ディスク状記録媒体の中心部を保持するチャックを有するターンテーブルと、支点機構の前方への摺動動作に連動してターンテーブルを有する支持部材を下降させる連動手段と、蓋体の下側に取付けられ、ターンテーブルのチャックから取外されたディスク状記録媒体を保持する保持手段と、を具備し、支点機構によって蓋体を背面側に摺動させると、連動手段によってターンテーブルを支持する支持部材を下降させてディスク状記録媒体をチャックから離脱させ、しかも蓋体を支点機構によって開放されるように回動させると、保持手段がディスク状記録媒体を保持するようにしたものである。
【００３２】
従ってこのようなディスクプレーヤによると、支点機構によって蓋体を背面側に摺動させることにより、連動手段によってターンテーブルを支持する支持部材が下降し、ディスク状記録媒体がチャックから離脱される。しかも蓋体が支点機構によって開放されると、蓋体の下側に取付けられている保持手段によってディスク状記録媒体が保持されることになる。従って使用者は、保持手段に保持されているディスク状記録媒体を単に取出せばよく、ディスク状記録媒体の取出し操作が極めて容易になる。
【発明を実施するための最良の形態】
【００３３】
以下本願発明を図示の実施の形態によって説明する。図７は本実施の形態に係るコンパクトディスクプレーヤの外観を示しており、このコンパクトディスクプレーヤは、直径が１２ｃｍの、例えば音楽を記録したコンパクトディスク（ＣＤ）を再生するのに用いられる。そしてコンパクトディスクプレーヤは、コンパクトディスクとほぼ同じ直径かそれよりもやや大きな直径の偏平なトレー状のキャビネット３０を備える。キャビネット３０の上部開口が蓋体３１によって開閉可能に閉じられるようになっている。上記キャビネット３０の外側部の所定の位置には、操作釦３２が円周方向に摺動可能に取付けられ、この操作釦３２の摺動操作によって、上記蓋体３１のロックを解除し、これによって蓋体３１を開放するようにしている。
【００３４】
図８は上記操作釦３２を操作したときにおける、蓋体３１の開放の状態を示している。蓋体３１は、比較的小さな角度、例えば２５度の角度で開放される。なおこのように小さな角度で蓋体３１が開放される理由は、蓋体３１の開放動作に連動して、コンパクトディスク４０がセンタチャック３８から自動的に取外されるようになっているからである。すなわち蓋体３１を大きく開き、手をキャビネット３０内に挿入してコンパクトディスク４０をセンタチャック３８から取外す必要がないようにしている。操作ボタン３２の操作によって、蓋体３１を開放させると、例えば２５度の角度で蓋体３１が開かれる。このときに中に収納されているコンパクトディスク４０は、蓋体３１の内側に取付けられているホルダ４２の保持片４３によって両側が保持された状態になっている。従って図９に示すように、比較的小さな角度で開かれた蓋体３１とキャビネット３０との間の隙間に手を挿入し、コンパクトディスク４０を容易に取出すことができる。
【００３５】
上述のような操作を可能にする具体的な構造を、図１０によって説明する。図１０は本実施の形態のコンパクトディスクプレーヤの内部構造を示しており、このコンパクトディスクプレーヤは、上述の如くキャビネット３０と蓋体３１とによって外筐が構成される。そしてキャビネット３０内にはシャーシ３５が固定して取付けられる。シャーシ３５上には、メカデッキ３６が組込まれるとともに、このメカデッキ３６上に、ターンテーブル３７が配されている。ターンテーブル３７は、その下側に配されている偏平な直結のＤＣモータによって回転駆動される。またターンテーブル３７の上面には、上方に突出するようにセンタチャック３８が取付けられている。センタチャック３８は、偏平な円板状の形状をなし、その上端側の外周面が傾斜面３９になっている。これによってコンパクトディスク４０の挿入の案内を行なうようにしている。
【００３６】
コンパクトディスク４０は、図８および図９に示すように、直径が１２ｃｍの円板状をなす合成樹脂製の媒体であって、その中心部には円形の中心孔４１を備えている。センタチャック３８から取外されたコンパクトディスク４０を保持するために、蓋体３１の下面にホルダ４２が取付けられる（図１３〜図１５参照）。ホルダ４２はその両側が下方に屈曲されるとともに、屈曲された先端部が半径方向中心側に折曲がって保持片４３を形成している。なお保持片４３は、その付根部分よりも先端側の方が低くなっている。このような保持片４３の保持構造は、コンパクトディスク４０の信号面を保護することにある。すなわち保持片４３は先端側が低くなるように傾斜しているために、保持片４３は、コンパクトディスク４０の外周側のエッジの部分と接触した状態で保持する。また上記蓋体３１の下面にはディスク押え４４が取付けられている。ディスク押え４４はゴムまたは柔軟な合成樹脂によって作られており、ほぼ楕円形のリング状をなしている。このディスク押え４４がコンパクトディスク４０の中心孔４１の外周側であって上面を押えるようにし、これによってターンテーブル３７上のセンタチャック３８に対する装着を行なうようにしている。なおここでは、ディスク押え４４はほぼ楕円形のリング状をなしている一例を示したが、ディスク押え４４は略Ｕ字型や略Ｖ自型、ほぼ平行な２直線状のものでも構わず、特に図示の形状に限定されるものではない。
【００３７】
次に上記蓋体３１のヒンジの構造について説明する。蓋体３１は、摺動動作と回動動作との２つの動作を行なう特徴あるヒンジ機構を備えている。このような特徴あるヒンジ機構は、主として支点板４８によって達成される。支点板４８は、図１１Ａに示されるように前後方向に延びる長孔４９を備えている。長孔４９は、シャーシ３５の折曲げ片５０に植設されている支点ピン５１を受入れ、これによって支点板４８がシャーシ３５に対して摺動可能であって回動可能に取付けられる。また上記支点板４８には、上記長孔４９よりも上側の位置において長孔４９とほぼ平行に摺動溝５２が形成されている。摺動溝５２は前方側が開放されている。そして摺動溝５２は、シャーシ３５の折曲げ片５０に植設されている別のピン５３を受入れている。
【００３８】
上記支点板４８とシャーシ３５の折曲げ片５０との間に巻ばね５６が介装される。巻ばね５６の一端は、上記シャーシ３５側のピン５３の中心孔５７に係合される。これに対して巻ばね５６の反対側の端部は、支点板４８の前端側に設けられている係合孔５８に係合される。巻ばね５６は、摺動溝５２からピン５３が離脱する近傍の位置であって、図１５Ｃに示す位置の近傍において最も大きく撓むようになっており、摺動溝５２からピン５３が離脱した場合には、この巻ばね５６が蓋体３１を開放する方向に付勢する（図１５Ｃ参照）。これに対して摺動溝５２にピン５３が係合している場合には、巻ばね５６が蓋体３１を前方側に付勢するようにしている（図１５Ｄ参照）。
【００３９】
上記支点板４８の外側部には、連結板６０が配されている。連結板６０はその一端に係合孔６１を備え、この係合孔６１が支点板４８に植設されているピン６２と係合しており、これによって支点板４８に連結される。また連結板６０の他端には長さ方向に延びる長孔６３が植設され、この長孔６３がシャーシ３５の両側部に形成された折曲げ片６４のピン６５と係合している。従って支点板４８を固着している蓋体３１が回動運動および摺動運動を行なうと、これに連動して連結板６０がシャーシ３５に対して前後方向に摺動することになる。
【００４０】
上記連結板６０の内側には、図１１Ｂに示すように、ピン６９が植設されている。このピン６９は、メカデッキ３６の下面に剛体的に固着されているベース板７３の両側部に形成されているカム７０に作用し、これによってカム７０を介してベース板７３を昇降動作させるようにしている。すなわちカム７０はとくに図１６に示すように、ほぼ平行四辺形の形状をなし、その前方側に第１の傾斜面７１が形成され、背面側に第２の傾斜面７２が形成されている。これらの傾斜面７１、７２によって、メカデッキ３６と固着されたベース板７３が昇降動作をし、これに連動してメカデッキ３６とその上のターンテーブル３７が上下動を行なうようになっている。
【００４１】
ここでターンテーブル３７は、図１２Ａに示すようにその中心部に上述の如く、センタチャック３８を備え、しかもセンタチャック３８は、図１２Ｂに示すように外周部に１２０度間隔でボール７６を保持している。ボール７６は、内蔵されたばね７７によって外周側に付勢されている。
【００４２】
このようなセンタチャック３８を有するターンテーブル３７が取付けられたメカデッキ３６には、図１２Ａに示すように、摺動溝７８が背面方向に向かって形成されるとともに、この摺動溝７８内にその長さ方向に配されている送りねじ７９によって、光ピックアップ８０がコンパクトディスク４０に対して半径方向に移動するように取付けられている。
【００４３】
上記メカデッキ３６は、その両側部にそれぞれ支軸８２を備えるとともに、支軸８２がシャーシ３５に折曲げて形成された支持片８３の軸受孔８４に受入れられ、これによってメカデッキ３６は上記軸受孔８４の軸線を中心として回動可能に支持されている。そしてメカデッキ３６にはその背面側に案内用壁部８５が形成されている。この案内用壁部８５は、コンパクトディスク４０を挿入するときの前後方向の挿入深さを規制するためのものである。またメカデッキ３６にはその前端側にとくに図２および図１５に示すように、前方に突出する突片８６が形成され、この突片８６を上下から挟着するように、板ばね８７が配される。板ばね８７は、とくに図１５から明らかなように、側面から見るとＶ字状をなしている。
【００４４】
また上記シャーシ３５の上面には、図１２Ａに示すように突起状リブ８９が形成されている。このリブ８９は、メカデッキ３６を下降させてセンタチャック３８からコンパクトディスク４０を離脱させる際に、コンパクトディスク４０が一緒に下降するのを阻止する部材である。なお突起状リブ８９は、コンパクトディスク４０の中心孔４１の周縁部であって、信号の記録面よりも中心側に形成されており、突起状リブ８９によって信号の記録されている領域を傷付けないようにしている。
【００４５】
図１３は蓋体３１の下面に取付けられているホルダ４２とディスク押え４４と支点板４８を示している。ホルダ４２は上述の如く、両端が下方に折曲げられるとともに、さらにその先端側の部分がほぼ水平であって先端部の方がやや下方に向くように傾斜して折曲げられて保持片４３が連設されており、両側の保持片４３によってコンパクトディスク４０を保持するようにしている（図８参照）。またホルダ４２の中心よりもやや前方よりの位置であって蓋体３１の下面に、弾性部材から成る楕円形のディスク押え４４が取付けられる。そして蓋体３１の内側であってその背面側の両側の壁部に、上述の如く支点板４８が取付けられる。
【００４６】
図１４Ａ、Ｂは、とくに上記支点板４８とシャーシ３５の折曲げ片５０との連結構造、およびホルダ４２の両側の保持片４３の傾斜の構造とを前方側から見た状態を示している。
【００４７】
次に上述のような構成に係るコンパクトディスクプレーヤの、とくに蓋体３１の摺動動作および回動動作と、メカデッキ３６によるチャッキング動作およびチャッキング解除動作の関連について、図１５を参照して説明する。なお図１５において、連結板６０は、その背面側の部分を見易くするために、仮想線によって輪郭を示している。
【００４８】
図１５Ａに示す状態は、総ての部品が初期状態であって、キャビネット１０の上部開口が蓋体３１によって完全に閉じられている状態を示している。このような状態において、使用者が指で蓋体３１に対して、背面側に摺動動作させるような力Ｆ１を、図１５Ｂに示すように加える。このときに蓋体３１は支点板４８を介して巻ばね５６によって前方へ付勢する力を受けている。従って使用者が加える力Ｆ１が上記巻ばね５６の付勢力に打勝つと、蓋体３１を取付けている支点板４８が図１５Ｂに示すように左方へ摺動動作する。
【００４９】
支点板４８は上述の如く、長孔４９がシャーシ３５のピン５１を受入れるとともに、摺動孔５２がシャーシ３５のピン５３を受入れている。従って支点板４８は回動動作することなく、図１５Ｂに示すように左方に摺動される。従って支点板４８を取付けている蓋体３１も同方向に移動する。
【００５０】
支点板４８には、ピン６２を介して連結板６０が連結されている。従って蓋体３１の摺動動作に連動して支点板４８が左方へ移動すると、連結板６０も同方向へ移動する。すると連結板６０の裏側のピン６９がベース板７３の外側部に設けられているカム７０の前方側の第１の傾斜面７１を押すことになり、このために図１６Ｂに示すように、カム７０が下方に押されることになる。従ってカム７０を備えるベース板７３が下降する。ベース板７３はメカデッキ３６を固着しているとともに、メカデッキ３６はその背面側の軸８２がシャーシ３５の支持片８３の軸受孔８４に回動可能に支持されているために、上記軸受孔８４の軸線を中心としてメカデッキ３６が図１５Ｂに示すように時計方向に小さな角度を回動する。このような回動動作に連動して、メカデッキ３６が下降動作する。同時にこのときに、シャーシ３５に取付けられている板ばね８７の下端側の部分が弾性変形することになる。
【００５１】
図１５Ｂに示す状態において、さらに蓋体３１および支点板４８に背面側に押す力が継続して加えられると、支点板４８の摺動溝５２の開放端からシャーシ３５側のピン５３が離脱する。するとシャーシ３５と支点板４８との連結は、長孔４９と係合する支点ピン５１のみになる。そして支点板４８とシャーシ３５の折曲げ片５０との間には巻ばね５６が介装されており、この巻ばね５６が蓋体３１を開く方向に付勢しているために、図１５Ｃに示すように、支点板４８の運動が、摺動運動から回動運動に変換される。なおこのときに、巻ばね５６はその最大撓み位置を超えており、支点板４８はその回動運動の際に巻ばね５６によって図１５Ｃに示す回転力Ｒ１を受ける。そして支点板４８は、シャーシ３５の折曲げ片５０の下端に形成されたストッパ９１に接触するようになり、この位置まで回動運動を継続する。またこの位置においては、連結板６０の裏側のピン６９は、ベース板７３のカム７０を乗越えた位置にあり、このためにカム７０とピン６９との相互の連動動作が解消される。従ってメカデッキ３６はシャーシ３５の先端部に取付けられているＶ字状板ばね８７によって、図１５Ａに示す状態と同じ水平位置へ復帰する。
【００５２】
次に上記の動作とは逆の動作であって、支点板４８を時計方向に回転させる外力を与える場合について考える。支点板４８が取付けられている蓋体３１を閉じる方向に回動させるように力を加える。すると支点板４８には、この支点板４８とシャーシ３５の折曲げ片５０との間に介装されている巻ばね５６の蓋体３１を開こうとする力に打勝つような力が与えられる。そして図１５Ｃに示す位置まで支点板４８を時計方向に回動させると、支点板４８の摺動溝５２の開放端にピン５３が臨むようになる。このときに巻ばね５６が支点板４８に対して前方へ摺動するような力を与えるために、使用者が蓋体３１に加える力と相俟って、ピン５３が支点板４８の摺動溝５２内に侵入する。従ってこの後さらに使用者が、図１５Ｂに示すＦ１とは逆方向であって右方への力Ｆ２を負荷すると（図１５ｄ参照）、巻ばね５６は最大撓み位置を超え、このためにＦ２のばね力を発生する。
【００５３】
使用者が図１５Ｄに示す外力Ｆ２を継続して加えると、連結板６０の裏側の突起６９がカム７０に作用する。ここで図１５Ｄに示すＦ２方向の力が加えられる場合には、図１５Ｂに示すＦ１方向の力を加える場合とは逆に作用する。すなわち、ピン６９は図１６Ｃに示すように、カム７０の背面側の第２の傾斜面７２に作用し、これによってカム７０を介してベース板７３を押上げるようになる。従ってベース板７３に固着されているメカデッキ３６が押上げられる。同時に、図１５Ｄに示すように、シャーシ３５の先端部に取付けられているＶ字状板ばね８７が上方に弾性変形する。そして支点板４８の前方への移動に伴って連結板６０のピン６９がカム７０から離脱すると、Ｖ字状板ばね８７によって、ベース板７３上のメカデッキ３６は図１５Ａに示す水平位置へ戻り、初期状態に復帰することになる。
【００５４】
図１６に示すように、連結板６０のピン６９と、ベース板７３のカム７０との動作関係は、連結板６０の移動方向に応じて互いに逆の動作を示す。連結板６０のピン６９が背面側へ移動する場合には、ピン６９はカム７０の上面を通過し、ベース板７３はダウン方向へ下降する。一方連結板６０のピン６９が右方であって前方側へ移動すると、ピン６９がカム７０の下面を通過し、ベース板７３はアップ方向へ上昇する。従って、このディスクプレーヤにおいては、連結板６０のピン６９の往復動によって、ベース板７３に固着されたメカデッキ３６が交互に上昇と下降とを繰返すことになる。
【００５５】
次に上述のような運動動作と、コンパクトディスクに対するチャッキングの解除動作およびチャッキング動作との関係を図１７によって説明する。なお図１７においては、上蓋３１、ディスク押え４４、およびホルダ４２の３部品については、これらを断面によって示している。また下側のキャビネット３０は、上記の動作には機能的には関与していないために、図示を省略している。
【００５６】
図１７Ａは、コンパクトディスク４０がターンテーブル３７上に装着され、メカデッキ３６に設けられている光ピックアップ８０によって、所定の再生動作を行なっている状態を示している。再生動作を停止し、コンパクトディスク４０を取出す場合には、図１７Ｂに示すように、使用者が蓋体３１に対して背面側に向かう外力Ｆ１を与える。なお、連結板６０のピン６９とベース板７３のカム７０との連動が開始される前に、上述のＦ１の力を除去すると、ディスクプレーヤは、蓋体３１の内側において支点板４８とシャーシ３５の折曲げ片５０との間に介装されている巻ばね５６の付勢力によって、元の状態に復帰される。
【００５７】
使用者が図１７Ｂに示すＦ１の力を継続して印加すると、連結板６０に設けられているピン６９がカム７０に作用し、メカデッキ３６が下降する。そしてコンパクトディスク４０は、シャーシ３５に設けられている突起状リブ８９に当接する。このためにそれ以上コンパクトディスク４０が下降できなくなる。従って、上記メカデッキ３６の下降動作に連動して、コンパクトディスク４０の中心孔４１からターンテーブル３７のセンタチャック３８が離脱する。従って、このディスクプレーヤにおいては、蓋体３１の開放動作に連動して、コンパクトディスク４０のチャッキング解除動作が行なわれる。
【００５８】
図１７Ｂに示すＦ１がさらに継続して印加され、連結板６０の最大終了位置まで到達する。ここで、図１７Ｂにおける負荷開始状態から、図１７Ｃに示す位置までは、使用者がこのディスクプレーヤの上蓋３１を開放する意思を持って外力Ｆ１を印加することになる。従って、支点板４８とシャーシ３５との間に介装されている巻ばね５６の戻し力、およびセンタチャック３８からコンパクトディスク４０の中心孔４１を離脱させる力の和は、使用者の外力に対して非常に微少なものであって、このために上記コンパクトディスク４０の保持と、上蓋３１の姿勢保持性能を悪化させるような巻ばね５６のばね力の微調整が必要でなくなる。
【００５９】
次に図１７Ｄによって、蓋体３１の開放動作を説明する。支点板４８とシャーシ３５の折曲げ片５０との間に介装される巻ばね５６がその弾性復元力によって支点板４８に加える力が、蓋体３１の重量とコンパクトディスク４０の重量に打勝てば、蓋体３１は開放可能である。すなわちターンテーブル３７のセンタチャック３８から中心孔４１が離脱しているコンパクトディスク４０は、蓋体３１側に取付けられているホルダ４２の両側の保持片４３によって互いに対向する外周部を支えられた状態で、図１７Ｄに示す位置まで浮上運動を行なう。このときのコンパクトディスク４０の浮上運動がＲ２で示される。
【００６０】
次に使用者がコンパクトディスク４０をターンテーブル３７に装着し、蓋体３１を閉じる動作について説明する。この動作は蓋体３１の開放動作とは逆の動作になる。図１７Ｄに示す位置までコンパクトディスク４０を挿入し、このコンパクトディスク４０を、蓋体３１の内側のホルダによって仮に保持しておく。このような状態において、蓋体３１にＲ１と逆方向の力を加えて蓋体３１を閉じる。次に蓋体３１に対して図１７Ｅに示すように、前方への力Ｆ２を加える。この力Ｆ２によって、蓋体３１および支点板４８が前方へ移動する。この前方への移動動作に連動して、連結板６０の裏側のピン６９がベース板７３のカム７０に作用し、これによってベース板７３が上昇するとともに、メカデッキ３６に支持されているターンテーブル３７が上昇する。従って、ターンテーブル３７の中心部に設けられているセンタチャック３８がコンパクトディスク４０の中心孔４１に係合される。なおこのときに、コンパクトディスク４０は、その上面が、蓋体３１の下面に取付けられているディスク押え４４によって押付けられ、このためにコンパクトディスク４０のセンタチャック３８に対するチャッキング動作が確実に達成される。またこのときに、センタチャック３８の上端側の傾斜面３９が、センタチャック３８をコンパクトディスク４０の中心孔４１に確実に導く。
【００６１】
このように本実施の形態に係るコンパクトディスクプレーヤは、使用者自身がこのディスクプレーヤに負荷する外力Ｆ１、Ｆ２によって、支点板４８を内側に取付けている蓋体３１の摺動運動と回動運動の両方を可能にした支点機構を利用して、蓋体３１の摺動動作中にコンパクトディスク４０の挿抜をメカデッキ３６の上下運動によって達成する。さらに回動運動中には、支点板４８とシャーシ３５の折曲げ片５０との間に介装された巻ばね５６の力によって蓋体３１の開放とコンパクトディスク４０の保持および浮上の動作を行なう。従って、とくに人間による外力と、巻ばね５６のばね力による仕事を分散させることによって、このディスクプレーヤ内に著しいばねの負荷を無くすことが可能となる。モータやバッテリ、プランジャ等の電気部品が必要でなくなる。また信号記録面が露出しているコンパクトディスクの表面に安易に傷を付けることがなく、セットの重量や大きさに対して著しい悪影響を与えることもない。またコンパクトディスク４０の挿抜や、蓋体３１の開放の２段の操作を、一連の操作で完了させる極めて使い勝手に優れるとともに、高い利便性を有するディスクプレーヤを提供することが可能になる。
【００６２】
以上本願発明を図示の実施の形態によって説明したが、本願発明は上記実施の形態によって限定されることなく、本願発明の技術的思想の範囲内で、各種の変更が可能である。例えば上記実施の形態は、ポータブル式のコンパクトディスクプレーヤに関するものであるが、本願発明は、各種の光ディスクを再生するためのＣＤプレーヤやＤＶＤプレーヤ、あるいはＢＤ（Ｂｌｕｅ−ｒａｙ  Ｄｉｓｃ）プレーヤ等に広く適用することができる。
【産業上の利用可能性】
【００６３】
本願発明は、コンパクトディスク、ＤＶＤ等の各種の光ディスク再生のためのディスクプレーヤに利用することができる。
【図面の簡単な説明】
【００６４】
【図１】従来のポータブル型のコンパクトディスクプレーヤの外観斜視図である。
【図２】同コンパクトディスクプレーヤの蓋体の開放動作を示す斜視図である。
【図３】蓋体が開放されたコンパクトディスクプレーヤの斜視図である。
【図４】コンパクトディスクプレーヤからのコンパクトディスクの取出しおよびセンタチャックを示す斜視図である。
【図５】ディスクカートリッジを用いるディスクプレーヤの蓋体の開放動作を示す斜視図である。
【図６】同ディスクカートリッジがエジェクトされた状態の斜視図である。
【図７】本願発明の一実施の形態のコンパクトディスクプレーヤの外観斜視図である。
【図８】同ディスクプレーヤの蓋体の開放動作を示す斜視図である。
【図９】同コンパクトディスクプレーヤからのコンパクトディスクの取出し動作を示す斜視図である。
【図１０】内部構造の全体を示す分解斜視図である。
【図１１】蓋体の支点機構を示す要部分解斜視図である。
【図１２】メカデッキの取付け構造を示す分解斜視図、およびセンタチャックの外観斜視図である。
【図１３】蓋体の内側の構造を示す外観斜視図である。
【図１４】蓋体を開いた状態の正面図およびホルダの部分の要部拡大正面図である。
【図１５】支点板の摺動動作および回動動作と、センタチャックのチャッキング解除動作およびチャッキング動作との関係を示す要部側面図である。
【図１６】連結板のピンとカムの作用によるメカデッキの下降動作と上昇動作とを示す正面図である。
【図１７】蓋体の開閉動作とコンパクトディスクのチャッキング解除動作およびチャッキング動作との関係を示す要部側面図である。
【符号の説明】
【００６５】
５…キャビネット、６…蓋体、７…ヘッドホン、８…ヘッドバンド、９…コード、１０…プラグ、１１…コネクタジャック、１２…操作釦、１５…コンパクトディスク（ＣＤ）、１６…ターンテーブル、１７…センタチャック、１８…ボール、１９…ばね、２２…キャビネット、２３…蓋体、２４…操作釦、２５…ディスクカートリッジ、３０…キャビネット、３１…蓋体、３２…操作釦、３５…シャーシ、３６…メカデッキ、３７…ターンテーブル、３８…センタチャック、３９…傾斜面、４０…コンパクトディスク（ＣＤ）、４１…中心孔、４２…ホルダ、４３…保持片、４４…ディスク押え、４８…支点板、４９…長孔、５０…折曲げ片、５１…支点ピン、５２…摺動溝、５３…ピン、５６…巻ばね、５７…中心孔、５８…係合孔、６０…連結板、６１…係合孔、６２…ピン、６３…長孔、６４…折曲げ片、６５…ピン、６９…ピン、７０…カム、７１…第１の傾斜面（前方側）、７２…第２の傾斜面（背面側）、７３…ベース板、７６…ボール、７７…ばね、７８…摺動溝、７９…送りねじ、８０…光ピックアップ、８２…支軸、８３…支持片、８４…軸受孔、８５…案区用壁部、８６…突片、８７…Ｖ字状板ばね、８９…突起状リブ、９１…ストッパ
【図１】
2008276812.tif 000003
【図２】
2008276812.tif 000004
【図３】
2008276812.tif 000005
【図４】
2008276812.tif 000006
【図５】
2008276812.tif 000007
【図６】
2008276812.tif 000008
【図７】
2008276812.tif 000009
【図８】
2008276812.tif 000010
【図９】
2008276812.tif 000011
【図１０】
2008276812.tif 000012
【図１１】
2008276812.tif 000013
【図１２】
2008276812.tif 000014
【図１３】
2008276812.tif 000015
【図１４】
2008276812.tif 000016
【図１５】
2008276812.tif 000017
【図１６】
2008276812.tif 000018
【図１７】
2008276812.tif 000019